(57)【特許請求の範囲】
【請求項１】
着用時に首の後をくるみながら両端が首の前の下部に下る形状を有し、自体弾性復元力を有する本体と、
前記本体の両端に備えられ、内部に空間が形成され、多数の風穴が形成されたヘッドと、
前記ヘッド内に設置され、モーターによって回転して風を発生させる羽根と、
前記本体の両端と前記ヘッドとの間に備えられ、該ヘッドを顔方向に向けるように調節でき、その状態を維持することができる角度調節部とを含み、
前記ヘッドは、その背面に髪の毛の流入を遮断する遮蔽カバーを設置するが、該遮蔽カバーは、半球形状からなり、該ヘッドより大きく形成され、その内部に該ヘッドと接する多数のスペーサーが中心方向に形成されて流路が形成される、ネックバンド型扇風機。
【請求項２】
請求項１に記載のネックバンド型扇風機において、
前記角度調節部は、軟質の管体と該管体の内部に設置された多数の鉄心からなり、折曲または湾曲されるとその状態が維持される、ネックバンド型扇風機。
【請求項３】
請求項１に記載のネックバンド型扇風機において、
前記角度調節部は、多数の回動台と、回動台の両端に備えられて回動台との間を連結する関節からなり、関節の軸方向は、互いに交差するようにしてそれぞれ別の方向に折れ、関節部位の相互の接触面が相互に圧迫されて折れた状態が維持される、ネックバンド型扇風機。
【請求項４】
前記ヘッドは、多数のランプが備えられる請求項１〜３のいずれか一項に記載のネックバンド型扇風機。
【請求項５】
前記本体は、内部に空間を形成しながら、首方向に多数の排出孔を形成し、モーターによって回転するファンを設置して排出孔を介して風が排出されるようにする請求項１〜３のいずれか一項に記載のネックバンド型扇風機。
【発明の詳細な説明】
【技術分野】
【０００１】
本発明は、ネックバンド型扇風機に関するものであって、より具体的には、扇風機を首に着用して使用できるようにすることで、両手が自由な状態で顔や胸などを凉しくすることができるネックバンド型扇風機に関するものである。
【背景技術】
【０００２】
一般的に、扇風機は、据え置き型と壁掛け型があり、据え置き型は底に立てて使用し、壁掛け型は壁にかけて使用する。これらの扇風機は、電動機の軸に羽を設置して羽が回転するにつれて風を起こして熱を冷やすのに使用する。
【０００３】
また、近ごろには、携帯用扇風機が多く使われているが、携帯用扇風機は、手で把持することができる取っ手と、取っ手の上端に網からなるヘッドと、ヘッド内部に設置される羽からなる。これらの携帯用扇風機は、携帯できる小さなサイズで製造され、いつでもどこでも手軽に使用できる長所がある。
【０００４】
しかし、必ず手で把持しなければならないので、片手を使用できない問題点がある。
【０００５】
韓国登録特許第１０−１７０１８２８号、韓国公開実用新案第２０−１９９９−００３７２３５号、韓国登録実用新案第２０−０４８３２３５号は、ネックレス型扇風機として、首にかけて使用することにより、両手が自由な長所がある。
【０００６】
しかし、これらのネックレス型扇風機は、羽が設置されたヘッドまたは首にかけるバンドがボディに固定されず、自由に動いたり方向を調節したりできず、効率的でない問題点がある。
【発明の概要】
【発明が解決しようとする課題】
【０００７】
本発明は、従来のような問題点を解決するために創案したものであって、首に着用できるようにするが、首に密着されて揺れないようにしながら羽が備えられたヘッド部分を好みの方向に調節できるようにした、ネックバンド型扇風機を提供することにその目的がある。
【課題を解決するための手段】
【０００８】
前記目的を果たすための本発明によるネックバンド型扇風機は、着用時に首の後をくるみながら両端が首の前の下部に下る形状からなる本体と、前記本体の両端に備えられ、内部に空間が形成され、多数の風穴が形成されたヘッドと、前記ヘッド内に設置され、モーターによって回転して風を発生させる羽と、を含むことを特徴とする。
【０００９】
また、前記本体の両端は、上向きに湾曲または折曲されて顔を向けるようにすることを特徴とする。
【００１０】
また、前記本体の両端とヘッド間には、角度調節部が備えられてヘッドの方向を調節できるようにすることを特徴とする。
【００１１】
また、前記本体は、首の後をくるみながら、両端が首の前の下部に下る形状を有し、自体弾性復元力を有することを特徴とする。
【００１２】
また、前記本体は、内部に空間を形成しながら、首方向に多数の排出孔を形成し、モーターによって回転するファンを設置して排出孔を介して風が排出されるようにすることを特徴とする。
【００１３】
また、前記角度調節部は、一つ以上の回動台を備え、一つ以上の関節を備えて行われることを特徴とする。
【００１４】
また、前記角度調節部は、軟質の管体からなり、その内部に折曲または湾曲した状態を維持する鉄心が多数備えられて行われることを特徴とする。
【００１５】
また、前記本体は、首と接する面に滑り止め用シリコーンが備えられることを特徴とする。
【００１６】
また、前記本体は、首と接する面に入れ替え用衛生パッドを付着することを特徴とする。
【００１７】
また、前記ヘッドは、多数のランプが備えられることを特徴とする。
【００１８】
また、前記本体は、その内部にブルートゥースモジュール（登録商標）を設置し、本体の両端にはイヤホンを備えることを特徴とする。
【００１９】
また、前記ヘッドは、その背面に髪の毛の流入は遮断しながら、空気の流入は許容する遮蔽カバーが設置されることを特徴とする。
【発明の効果】
【００２０】
本発明によるネックバンド型扇風機は、首に着用して使用するため、手が自由で各種作業および活動が容易であり、羽が内蔵されたヘッドを好みの角度に調節できるため、風の方向を自由に調節できる効果がある。
【００２１】
また、テーブルや底などに置いて使用可能であり、ハンド型のように手で把持して使用することもできる効果がある。
【００２２】
また、ヘッドを本体の方向に位置させると、体積が小さくなるので、カバンなどに保管しやすい効果がある。
【図面の簡単な説明】
【００２３】
【図１】本発明によるネックバンド型扇風機の構造を示した斜視図。
【００２４】
【図２】本発明によるネックバンド型扇風機の構造を示した正面図。
【００２５】
【図３】本発明によるネックバンド型扇風機の構造を示した側面図。
【００２６】
【図４】本発明による本体にパッドが付着した状態を示した正面図。
【００２７】
【図５】本発明による本体に排出孔が形成された状態を示した正面図。
【００２８】
【図６】本発明によるネックバンド型扇風機の着用状態を示した使用状態図。
【００２９】
【図７ａ】本発明の他の実施例によるネックバンド型扇風機を示した例示図。
【図７ｂ】本発明の他の実施例によるネックバンド型扇風機を示した例示図。
【００３０】
【図８】本発明のまた他の実施例によるネックバンド型扇風機を示した例示図。
【００３１】
【図９】本発明のまた他の実施例によるネックバンド型扇風機を示した例示図。
【発明を実施するための形態】
【００３２】
以下、本発明によるネックバンド型扇風機の好ましい実施例を添付された図面を参照して具体的に説明する。
【００３３】
図１は、本発明によるネックバンド型扇風機の構造を示した斜視図であり、図２は、本発明によるネックバンド型扇風機の構造を示した正面図であり、図３は、本発明によるネックバンド型扇風機の構造を示した側面図であり、図４は、本発明による本体にパッドが付着した状態を示した正面図であり、図５は、本発明による本体に排出孔が形成された状態を示した正面図であり、図６は、本発明によるネックバンド型扇風機の着用状態を示した使用状態図である。
【００３４】
これらの図面に示されたように本発明によるネックバンド型扇風機は、首に着用する本体１０と、前記本体１０の両端に備えられ、内部に空間が形成され、多数の風穴２１が形成されたヘッド２０と、前記ヘッド２０内に設置され、モーターによって回転して風を発生させる羽３０と、を含む。
【００３５】
前記本体１０は、首の後をくるみながら両端が首の前の下部に下るように「∩」形状からなり、内部には、充電池Ｂおよび電線Ｗを挿入できる空間が形成される。これらの本体１０は、弾性復元力を有する素材を用いて製造することにより、両端をつかんで開けて着用できるようにする。そして、本体１０の内部には、充電できる充電池Ｂが内蔵される。勿論、充電池Ｂ代わりに使い捨てバッテリーが用いられることを明らかにしておく。
【００３６】
前記ヘッド２０は、本体１０の両端にそれぞれ設置されるもので、円形のフレームの両面に多数の保護網を形成することにより、内部に空間を有するにつれて各保護網の間に風穴２１が形成されるようにする。したがって、外部から内部への空気流入および内部から外部への空気排出を容易にする。
【００３７】
ここで、ヘッド２０は、内部に空間を有する円筒形状を有しながら、両面を打孔して風穴２１を形成する形で構成することもできることを明らかにしておく。
【００３８】
前記羽３０は、ヘッド２０の内部に設置されることで、ヘッド２０内部にモーターが固定設置され、モーターの軸に羽３０が回転するように設置される。前記モーターは、電線Ｗによって充電池Ｂと電気的に接続されて駆動する。
【００３９】
一方、前記本体１０の両端とヘッド２０との間には、角度調節部４０が備えられてヘッド２０の方向を調節できるようにする。
【００４０】
前記角度調節部４０は、軟質の管体４１と管体４１の内部に設置される多数の鉄心４２からなる。このように内部に備えられた鉄心４２によって角度調節部４０は、使用者が折曲させるか、または湾曲させると、その状態を維持するようになるため、好みの方向にヘッド２０を位置させることができる。
【００４１】
ここで、前記角度調節部４０は、省略され得る。このような場合、前記本体１０の末端は、上向きに折曲または湾曲されるようにして、ここに設置されるヘッド２０および羽３０が使用者の顔を向けるようにする。
【００４２】
また、前記本体１０は、図４に図示されたように首と接する面に平たいシリコーンパッド１２を所定の面積で付着することができる。このような場合、シリコーンパッド１２の素材の特性によって本体１０が首から滑らず、着用感が非常によくなる。
【００４３】
ここで、前記シリコーンパッド１２の代わりに衛生パッド１３を付着させることができる。これらの衛生パッド１３は、ベルクロテープなどを用いて着脱できるようにして汚れたら入れ替りできるようにする。
【００４４】
さらに、前記本体１０は、図５に図示されたように、本体１０の内部に空間を形成しながら、首方向に多数の排出孔１１を形成し、モーターによって回転するファン１４を設置して排出孔１１を介して風が排出されるようにする。このように、排出孔１１から風が排出されることにより、首と接する部位に汗が満ちることを防止する。
【００４５】
最後に、前記本体１０の外部には、多数のスイッチＳＷを設置して通電状態を制御するか、または風の強さを調節できるようにし、前記ヘッド２０は、多数のランプ（図示せず）を備えて使用者の選択によって点灯されるようにする。
【００４６】
このような構造からなる本発明によるネックバンド型扇風機の作用効果を具体的に説明する。
【００４７】
先に、使用者は、本体１０を着用するために本体１０の両端を両手で把持した後、軽く開けながら首の後から前方へ着用する。すると、本体１０の両端が開けられて首に着用されて本体は首の後と密着する。そして、両手を離すと、開けられた本体１０が再び狭くなり、首の前方へ垂れて下部に向けるようになることにより、着用が完了される。
【００４８】
このような状態で、図６に図示されたように角度調節部４０を折曲させたり、曲げてヘッド２０の正面が顔を向けるようにする。このとき、角度調節部４０は、軟質の管体４１および管体４１の内部に備えられた鉄心４２によって、使用者が力を加える方向に曲がり、加えた力を除去すると、曲がった状態を維持することになる。
【００４９】
次に、スイッチＳＷを操作して羽３０を回転させると、ヘッド２０の正面から風が出て、風は顔を向けることにより、顔が凉しくなる。
【００５０】
このように、本発明のネックバンド型扇風機は、首にかけて使用することにより、両手が自由で各種作業および活動が容易であり、羽３０が内蔵されたヘッド２０を好みの角度で調節できるため、風の方向を自由に調節できる。
【００５１】
また、テーブルや底などに置いて使用可能であるため、スタンド方式で使用でき、ハンド型のように手で把持して使用することもできる。
【００５２】
また、ヘッド３０を本体１０方向に位置させると、体積が小さくなるので、カバンなどに保管が容易である。
【００５３】
図７ａ、７ｂは、本発明の他の実施例によるネックバンド型扇風機を示した例示図である。
【００５４】
図面に図示されたように前記角度調節部４０は、一つ以上の回動台４３と、回動台４３の両端に備えられる関節４４で構成し得る。回動台４３が複数ある場合、関節４４によって互いに接続され、各関節４４を中心に回動台４３が回動することができる。ここで、関節４４の軸方向は、互いに交差するようにしてそれぞれ別の方向に折れるようにする。これらの回動台４３は、折れた状態が維持されるように関節４４部位の互いに接する面が互いに圧迫されるようにする。
【００５５】
図８は、本発明のまた他の実施例によるネックバンド型扇風機を示した例示図である。
【００５６】
図面に図示されたように前記本体１０は、その内部にブルートゥースモジュール（登録商標）５０を設置し、本体１０の両端には、ブルートゥースモジュール５０と接続されるイヤホン５１を備える。そして、本体１０には、イヤホン５１が固定されることができる収容溝１５を形成し、不使用のとき、これに挿入して保管できるようにする。
【００５７】
図９ａ、９ｂは、本発明のまた他の実施例によるネックバンド型扇風機を示した例示図として、図面に図示されたようにヘッド２０の背面に髪の毛の流入を遮断する遮蔽カバー６０が設置される。
【００５８】
前記遮蔽カバーは、半球形状からなり、ヘッド２０より大きく形成され、その内部にヘッド２０と接する多数のスペーサー６１が中心方向に形成される。したがって、ヘッド２０と遮蔽カバー６０は、所定の間隔で離隔して設置されながら、流路６２が形成される。すなわち、この流路６２を介して外部の空気は、ヘッド２０背面に流入できるが、髪の毛の流入は、遮断するようになる。
【図１】
0006906871.tif 000002
【図２】
0006906871.tif 000003
【図３】
0006906871.tif 000004
【図４】
0006906871.tif 000005
【図５】
0006906871.tif 000006
【図６】
0006906871.tif 000007
【図７ａ】
0006906871.tif 000008
【図７ｂ】
0006906871.tif 000009
【図８】
0006906871.tif 000010
【図９ａ】
0006906871.tif 000011
【図９ｂ】
0006906871.tif 000012